(57)【特許請求の範囲】
【請求項１】
樹脂製の皿部材の上部に、凸形をなす樹脂製の蓋体が嵌合してなり、皿部材と蓋体との間に形成された空間が収容部にされており、
前記皿部材は、底板部と、底板部の上面に起立して設けられた環状の嵌合突起とを具備し、
前記蓋体は、上部を塞がれた凸形をなす殻部と、殻部の内面下部に設けられ前記皿部材の嵌合突起に外嵌する嵌合部と、殻部の下縁部から外方へ延びる破断用突片と、この破断用突片の両側に対向配置して設けられた一対の起立片とを具備し、
前記破断用突片を引き上げて、前記蓋体における破断用突片近傍の殻部を高さ方向に沿って破断することにより、蓋体を皿部材から離脱できるようにされていることを特徴とする容器。
【請求項２】
前記蓋体の殻部の下縁部が前記皿部材の底板部に面当接することを特徴とする請求項１に記載の容器。
【請求項３】
前記皿部材の底板部は、中央が平板部にされ、平板部の周りが外方に向かって昇り勾配の傾斜部にされており、前記蓋体には、前記殻部の下縁部から外方に向かって昇り勾配に形成され周方向の途中に不連続部を有する略環状の鍔部が設けられており、前記皿部材の傾斜部の上に前記蓋体の鍔部が重ねられ、蓋体の鍔部の不連続部内に前記破断用突片が配されていて、前記起立片が鍔部の不連続部の両側に配置されていることを特徴とする請求項１または２に記載の容器。
【請求項４】
前記起立片が殻部の下縁部に連接されていることを特徴とする請求項３に記載の容器。
【発明の詳細な説明】
【０００１】
【産業上の利用分野】
本発明は、ケーキ等を収納するための容器に関するものである。
【０００２】
【従来の技術】
ケーキ等の菓子には、菓子製造工場において一つずつ容器に密封され、この状態で輸送され、店頭に並べられて販売され、食する直前に購入者が容器を開けて食べるようにしたものがある。
この種の菓子包装用の容器には、樹脂製の平板状の皿部材の上に凸形をなす樹脂製の蓋体を嵌合させてなるものがある。
【０００３】
この容器の皿部材は、中央が平板部で、その外周が昇り勾配の傾斜部になっていて、平板部の上面に嵌合突起が環状に設けられている。蓋体は、上部が閉塞し下部が開口する凸形の殻部を有し、この殻部の内面下部に設けた嵌合部を前記皿部材の嵌合突起に外嵌することによって、蓋体を皿部材に気密状態に取り付けている。又、蓋体の殻部の下縁部からは昇り勾配の略環状の鍔部が張り出すとともに、破断用突片が突設している。鍔部は皿部材の傾斜部の上に重ねられる。
【０００４】
この容器においては、皿部材の上に菓子が載置されていて、その菓子の上に蓋体が覆い被さった状態になっている。菓子を食べる時には、蓋体の破断用突片を上方に引っ張り上げることによって、破断用突片の両側部の殻部をその高さ方向に沿って破断し、破断したところから殻部を両側に広げることによって蓋体の嵌合部を皿部材の嵌合突起から外し、蓋体を取り外すようにしている。
【０００５】
【発明が解決しようとする課題】
この容器においては、殻部を拡げる時に、破断部分に左右の親指の爪を引っ掛けて行っていたが、これは非常に広げ難くかった。又、手が汚れるという欠点もあった。
本発明はこのような従来の技術の問題点に鑑みてなされたものであり、蓋体が取り外し易く、取り外す時に手が汚れない容器を得ることを目的とする。
【０００６】
【課題を解決するための手段】
本発明は前記課題を解決するために、以下の構成を採用した。
容器を樹脂製の皿部材と蓋体とから構成し、皿部材の上部に、凸形をなす蓋体を嵌合し、皿部材と蓋体との間に形成された空間を、菓子等を収容するための収容部とする。
【０００７】
皿部材には底板部と嵌合突起を設ける。底板部は例えば円板状に形成する。嵌合突起は底板部の上面から起立させ環状に設ける。
蓋体には殻部と嵌合部と破断用突片と起立片とを設ける。殻部は上部を塞がれた凸形に形成する。殻部の具体的な形状としては、円筒状や半球状等が採用可能である。嵌合部は前記皿部材の嵌合突起に外嵌する部分であり、殻部の内面下部に設ける。破断用突片は殻部の下縁部から外方に突設する。起立片は破断用突片の両側に一対設け、互いに対向するように配置する。
【０００８】
前記蓋体の殻部の下縁部を前記皿部材の底板部に面当接するようにすると、前記皿部材と蓋体との嵌合部分にごみ等が侵入できなくなり、衛生的で好ましい。
前記皿部材の底板部の中央を平板部にし、平板部の周囲を外方に向かって昇り勾配の傾斜部で包囲し、前記蓋体の殻部の下縁部に、外方に向かって昇り勾配の鍔部を設け、鍔部を皿部材の傾斜部上に重ね、鍔部の周方向の途中に不連続部を設け、この不連続部内に前記破断用突片を配し、不連続部の両側に前記起立片を配置するようにしてもよい。更に、起立片を殻部の下縁部に連接するようにしてもよい。
【０００９】
尚、本発明の容器の用途は、ケーキ等の菓子類の包装用に限定されるものではなく、他の食品あるいは食品以外の物の包装用にも適用可能である。
【００１０】
【作用】
蓋体を取り外す場合には、破断用突片を引き上げて、破断用突片近傍の殻部を高さ方向に沿って破断する。この後、左右の起立片にそれぞれ左手と右手の親指を引っ掛けて左右に広げ、蓋体の嵌合部を皿部材の嵌合突起から外す。引き続いて、蓋体を持ち上げることによって、蓋体を皿部材から外す。
【００１１】
【実施例】
以下、本発明の実施例を図１から図５の図面に基いて説明する。
図１は菓子包装用の容器の外観斜視図であり、図３は縦断面図である。容器１は、樹脂製の皿部材１０と、この皿部材１０の上部に嵌合された樹脂製の蓋体２０とから構成されている。
【００１２】
皿部材１０は底板部１１を有しており、底板部１１は、平坦な円板状の平板部１３と、この平板部１３の外周縁に連なる環状の傾斜部１４とからなり、傾斜部１４は傾斜角度を異にする第１傾斜部１４ａと第２傾斜部１４ｂとから構成されている。平板部１３の外周縁近傍の上面には、環状をなす嵌合突起１５が突設されており、嵌合突起１５の外周面上部には外側に膨出する環状の膨出部１６が形成されている。平板部１３の下面には環状の脚部１７が突設されている。
【００１３】
蓋体２０は、凸形をなす殻部２１と、略環状の鍔部３０とを有している。
殻部２１は、平板状の天板部２２と、上部をカットされた円錐状の周壁部２３とからなり、下部は開口している。周壁部２３の内面下部には嵌合突部（嵌合部）２４が環状に設けられており、この嵌合突部２４が皿部材１０の嵌合突起１５の外側に外嵌して、膨出部１６に気密状態に嵌合するようになっている。そして、この嵌合状態において、皿部材１０の平板部１３と蓋体２０の殻部２１とによって包囲された内部空間が菓子収容部５０になっている。又、周壁部２３の下部外周面には多数のリブ２５が等間隔に設けられている。
【００１４】
鍔部３０は、殻部２１の下端から外方へ平坦に延びる水平部３１と、水平部３１の外周縁から外方へ昇り勾配に形成された第１傾斜部３２ａと、第１傾斜部３２ａの外周縁から外方へ緩い昇り勾配に形成された第２傾斜部３２ｂとから構成されている。
水平部３１の下面は皿部材１０の平板部１３の上面に面当接しており、これによって嵌合突起１５と嵌合突部２４との気密嵌合部分に塵等が侵入できないようにされている。第２傾斜部３２ｂは皿部材１０の第２傾斜部１４ｂの上に重ねられている。
【００１５】
鍔部３０にはその周方向の途中に不連続部３３が形成されており、この不連続部３３によって水平部３１及び傾斜部３２ａ，３２ｂは左右に分断されている。この不連続部３３には破断用突片４０が配されている。図２は破断用突片４０周りの拡大斜視図である。破断用突片４０の基部は殻部２１の周壁部２３の下端に連なっており、破断用突片４０の断面形状は鍔部３０と略同一になっている。破断用突片４０の先端は皿部材１０の傾斜部１４よりも外方に突出しており、破断用突片４０の先端には、指で摘んだり、指を引っ掛けたりするのに都合がよいように、上下方向に突出するフック爪４１が設けられている。又、破断用突片４０の上面には周壁部２３の下端から延びる一対のリブ４２が一体的に設けられている。
【００１６】
図４は蓋体２０を下側から見た斜視図であり、周壁部２３の下端には、鍔部３０の不連続部３３に連なる逆Ｖ字形の切欠き２６が形成されている。この切欠き２６の上端は、嵌合突起１５と嵌合突部２４との気密嵌合を破壊しないように、嵌合突部２４の最大突出端２４ａよりも下側に位置している。
又、蓋体２０の不連続部３３の両側には一対の起立片３４ａ，３４ｂが互いに対向するように配置されている。各起立片３４ａ，３４ｂは薄板状をなし、鍔部３０の上に起立し、周壁部２３の下縁部に連接している。
【００１７】
この容器１においては、皿部材１０の平板部１３における嵌合突起１５の内側にケーキ１００が載置されている。
ケーキ１００を食べる時には、次のようにして容器１の蓋体２０を取り外す。まず、破断用突片４０のフック爪４１に指を掛けて上方に引き起こす。すると、切欠き２６の部分から蓋体２０の周壁部２３に亀裂が入る。この時、起立片３４ａ，３４ｂは鍔部３０における不連続部３３の両側を補強し、これによって周壁部２３に亀裂が入り易くなる。引き続いて破断用突片４０を上方に引き上げて、図５に示すように、破断用突片４０の上方に位置する周壁部２３をめくり上げるようにして破断する。
【００１８】
次に、図５に示すように、左手の親指を左側の起立片３４ａに引っ掛け、右手の親指を起立片３４ａに引っ掛け、左手と右手の両人差し指を１８０度反対側に位置する鍔部３０に添えて、殻部２１を左右に広げることにより、蓋体２０の嵌合突部２４と皿部材１０の嵌合突起１５との嵌合を外し、そのまま蓋体２０を持ち上げて皿部材１０から取り外す。このようにして蓋体２０を取り外すと、皿部材１０の底板部１１の上に載置された状態でケーキ１００が現れる。
【００１９】
このように、本発明の容器１は従来のものよりも簡単に蓋体２０を取り外すことができ、しかも、取り外すときに手を汚さずに済むという利点がある。
【００２０】
【発明の効果】
以上説明したように、本発明によれば、蓋体において破断用突片の両側に起立片を対向配置したことにより、蓋体を手を汚さずに簡単に取り外すことができるという優れた効果が奏される。
【図面の簡単な説明】
【図１】この発明に係る容器の外観斜視図である。
【図２】この発明に係る容器の破断用突片周りを拡大して示す外観斜視図である。
【図３】この発明に係る容器の断面図である。
【図４】蓋体の破断用突片周りを下方から見た斜視図である。
【図５】この発明に係る容器の開蓋途中を示す外観斜視図である。
【符号の説明】
１    容器
１０    皿部材
１１    底板部
１３    平板部
１４    傾斜部
１５    嵌合突起
２０    蓋体
２１    殻部
２４    嵌合突部（嵌合部）
３０    鍔部
３１    水平部
３３    不連続部
３４ａ，３４ｂ    起立片
４０    破断用突片
５０    収容部
【図１】
0003805800.tif 000002
【図２】
0003805800.tif 000003
【図３】
0003805800.tif 000004
【図４】
0003805800.tif 000005
【図５】
0003805800.tif 000006